(57)【要約】  【課題】  筒状体内から引き出しを引き出す動作を確実かつ円滑に行い得る化粧料収容容器を提供する。  【解決手段】  上側に開放された化粧料の載置部２１ａをもつ棒状の引き出し２１と、引き出し２１に外挿されこれを引き出し２１可能及び軸線を中心に回転不能に支持する筒状体２２とを備え、引き出し２１は筒状体２２内の略下半分の空間領域を占める断面形状の下半分断面形状区間５１と、それが引き出される側と反対側に位置し筒状体２２内の略全空間領域を占める断面形状の全断面形状区間５２とを有し、下半分断面形状区間５１の上部を載置部２１ａとして載置部２１ａ上の化粧料１０ａを筒状体２２内に引き出し２１ごと収容することを可能とされ、引き出し２１はその全断面形状区間５２の外周部が筒状体２２の内周部により軸線方向に摺動可能に支持されその軸線が筒状体２２の軸線に沿う方向に拘束されている。【選択図】  図１
0003123384.tif 000002
【実用新案登録請求の範囲】
【請求項１】
上側に向かって開放された化粧料の載置部を有する棒状の引き出しと、
この引き出しに対し外挿されることによりこれを引き出し可能及び軸線を中心として回転不能に支持する筒状体とを備えた化粧料収容容器であって、
前記引き出しは、前記筒状体内の略下半分の空間領域を占める断面形状に形成された下半分断面形状区間と、それが引き出される側と反対側に位置し該筒状体内の略全空間領域を占める断面形状に形成された全断面形状区間とを有しており、
前記下半分断面形状区間における上部を載置部とすることにより、該載置部上に載置された化粧料を前記筒状体内に前記引き出しごと収容することを可能とされており、
前記引き出しは、その全断面形状区間における外周部が筒状体の内周部によって軸線方向に摺動可能に支持されることにより、その軸線が該筒状体の軸線に沿う方向に拘束されていることを特徴とする化粧料収容容器。
【請求項２】
前記引き出しは、それが引き出される側に係る前記筒状体の端面を覆い、かつ、その外周縁が該筒状体の外周部よりも外側に延出するように形成された鍔状取っ手を有していることを特徴とする請求項１に記載の化粧料収容容器。
【請求項３】
前記全断面形状区間における外周部には、前記筒状体の内周部との間に働く摺動抵抗を小さくするための複数の突条が周方向に適宜間隔に及び軸線方向に延びるように形成されていることを特徴とする請求項１又は２に記載の化粧料収容容器。
【請求項４】
前記引き出しは、その載置部の下層位置にそれが引き出される側に向けて開口するように形成された塗布具収容部を有していることを特徴とする請求項１〜３のいずれか一項に記載の化粧料収容容器。
【考案の詳細な説明】
【技術分野】
【０００１】
本考案は、おしろい、ファンデーション、ほお紅、アイシャドウ等の化粧料が収容された化粧料収容容器に関する。
【背景技術】
【０００２】
従来の化粧料収容容器としては、例えば上側に向かって開放され化粧料が充填された化粧皿を載置する化粧料の載置部を有する棒状の本体たる引き出しと、この引き出しに対し外挿されることによりこれを軸線方向に引き出し可能に支持する円筒状の蓋体たる筒状体とを備え、筒状体内から引き出しを引き出して引き出しの載置部と筒状体とが重ならない位置関係にし得るものが開示されている（例えば、特許文献１参照）。
【特許文献１】特開２００４−１６７０９６号公報
【考案の開示】
【考案が解決しようとする課題】
【０００３】
ところで、従来の化粧料収容容器においては、筒状体内から引き出しを引き出し得る所謂引き出し式が採用されており、化粧皿を交換したり化粧料を塗布具により分け取ったりするに当たって筒状体が指や塗布具の邪魔にならないよう筒状体内から引き出しを引き出して引き出しの載置部と筒状体とを重ならない位置関係に位置させることが可能となっている。したがって、従来の化粧料収容容器によれば、化粧皿の交換作業等それ自体は円滑に行うことが可能である。
【０００４】
しかしながら、従来の化粧料収容容器においては、棒状の引き出しが全区間に亘って円筒状の筒状体内の略下半分の空間領域を占める断面形状に形成されているため、筒状体内から引き出しが引き出される途中において当該引き出しが筒状体内で不安定に揺動したり当該引き出しの奥側の端部が筒状体の開口部に引っ掛かったりする等、引き出しの載置部と筒状体とを重ならない位置関係に位置させる過程に不都合を生じる場合がある。
【０００５】
そこで、本考案の課題は、引き出しの載置部と筒状体とを重ならない位置関係に位置させる過程に不都合を生じないように、筒状体内から引き出しを引き出す動作を確実かつ円滑に行うことができる化粧料収容容器を提供することにある。
【課題を解決するための手段】
【０００６】
上記課題を解決するため、本考案に係る化粧料収容容器は、上側に向かって開放された化粧料の載置部を有する棒状の引き出しと、この引き出しに対し外挿されることによりこれを引き出し可能及び軸線を中心として回転不能に支持する筒状体と、を備えた化粧料収容容器であって、引き出しは、筒状体内の略下半分の空間領域を占める断面形状に形成された下半分断面形状区間と、それが引き出される側と反対側に位置し筒状体内の略全空間領域を占める断面形状に形成された全断面形状区間とを有しており、下半分断面形状区間における上部を載置部とすることにより、載置部上に載置された化粧料を筒状体内に引き出しごと収容することを可能とされており、引き出しは、その全断面形状区間における外周部が筒状体の内周部によって軸線方向に摺動可能に支持されることにより、その軸線が筒状体の軸線に沿う方向に拘束されていることを特徴としている。
【０００７】
このような化粧料収容容器によれば、載置部上に載置された化粧料を筒状体内に引き出しごと収容することを可能とする下半分断面形状区間、及び、引き出しの軸線を筒状体の軸線に沿う方向に拘束することを可能とする全断面形状区間を有する引き出しを備えたので、筒状体内から引き出しを引き出す動作を確実かつ円滑に行うことが可能となる。
【０００８】
したがって、このような化粧料収容容器によれば、引き出しの載置部と筒状体とを重ならない位置関係に位置させる過程における不都合、つまり、筒状体内から引き出しが引き出される途中において当該引き出しが筒状体内で不安定に揺動したり当該引き出しの奥側の端部が筒状体の開口部に引っ掛かったりする等の不都合を生じさせないことが可能となる。
【０００９】
このような技術的手段において、使用者が引き出しをその外周部を掴んで筒状体内から引き出す際に手が滑る等の不都合を確実に回避するようにして、筒状体内から引き出しを引き出す動作をより確実かつ円滑に行うという観点からすれば、引き出しは、それが引き出される側に係る筒状体の端面を覆い、かつ、その外周縁が筒状体の外周部よりも外側に延出するように形成された鍔状取っ手を有していることが好ましい。
【００１０】
また、引き出しの外周部が筒状体の内周部に接する面積を可及的に狭くするようにして、筒状体内から引き出しを引き出す動作の確実性及び円滑性を担保しようとする観点からすれば、全断面形状区間における外周部には、筒状体の内周部との間に働く摺動抵抗を小さくするための複数の突条が周方向に適宜間隔に及び軸線方向に延びるように形成されていることが好ましい。
【００１１】
さらに、筒状体が化粧料を収容し得るのみならず塗布具をも収容し得るようにして、筒状体内の空間領域の有効活用を図るという観点からすれば、引き出しは、その載置部の下層位置にそれが引き出される側に向けて開口するように形成された塗布具収容部を有していることが好ましい。
【考案の効果】
【００１２】
本考案に係る化粧料収容容器によれば、筒状体内から引き出しを引き出す動作を確実かつ円滑に行うことができ、引き出しの載置部と筒状体とを重ならない位置関係に位置させる過程における不都合を生じさせないこととなる。
【考案を実施するための最良の形態】
【００１３】
以下、添付図面に基づいて本考案の実施の形態を詳細に説明する。
【００１４】
図１は本考案の一実施の形態に係る化粧料収容容器の全体構成を示す縦断面図、図２は同化粧料収容容器の部分構成を示す横断面図、図３は同化粧料収容容器の部分構成を示す側面図、図４は同化粧料収容容器の作用を説明する縦断面図、図５は同化粧料収容容器の作用を説明する縦断面図である。
【００１５】
本実施の形態において、化粧料収容容器は、例えばおしろい、ファンデーション、ほお紅、アイシャドウ等の化粧料が充填された化粧皿を交換可能に収容するとともに収容された化粧料を分け取ることを可能とされた塗布具付きの化粧料収容容器である。
【００１６】
具体的には、この化粧料収容容器は、図１及び図２に示すように、紙製容器１と、この紙製容器１内に収容された本考案に係るプラスチック製容器２とを備えるものとして構成されている。
【００１７】
以下、これらの各構成要素についてさらに詳細に説明する。
【００１８】
（１）紙製容器１
紙製容器１は、図１及び図２に示すように、紙管本体１１と、紙管本体１１の先端部に対し紙管本体１１の開口を塞ぐように装着される紙管キャップ１２とからなっている。
【００１９】
紙管本体１１は、図１、図２、図４及び図５に示すように、有底筒状（例えば円筒状）に形成されており、先端側に向かって開口したものとして構成されている。
【００２０】
そして、この紙管本体１１は、これらの図に示すように、その先端開口を通じて筒状体２２外に筒状体２２の基端側から外挿されることにより、引き出し２１及び塗布具２３を収容している筒状体２２を軸線方向に引き抜き不能及び軸線を中心として回転不能に支持するものとして構成されている。
【００２１】
具体的には、紙管本体１１は、これらの図に示すように、その内底部によって筒状体２２の底部を支持しているとともに、その内周部によって筒状体２２の基端側部分を支持している。その結果、引き出し２１及び塗布具２３を収容している筒状体２２の先端側部分は、紙管本体１１の先端から引き出し２１が引き出される側に向かって突出した状態に設けられている。
【００２２】
また、紙管キャップ１２は、図１及び図２に示すように、有頂筒状（例えば円筒状）に形成されており、基端側に向かって開口したものとして構成されている。
【００２３】
そして、この紙管キャップ１２は、図１に示すように、その基端開口を通じて紙管本体１１の先端部に対し筒状体２２の先端側部分を覆うように装着されることにより、紙管本体１１と一体となり紙製容器１としてプラスチック製容器２を収容する役割を果たしている。
【００２４】
このように、本実施の形態における化粧料収容容器をプラスチックだけから構成しないでプラスチック及び紙の複合構造として構成することにより、化粧料収容容器全体としての強度及び剛性の向上を図ることが可能となっているのみならず、意匠性の向上を図ることも可能となっている。
【００２５】
（２）プラスチック製容器２
プラスチック製容器２は、図１及び図２に示すように、化粧料１０ａを収容するための引き出し２１と、引き出し２１を軸線方向に引き出し２１可能に支持している筒状体２２と、引き出し２１内に収容されている塗布具２３とからなっている。
【００２６】
引き出し２１は、図１、図２、図４及び図５に示すように、従前からの引き出し２１式のコンパクト等と異なり、棒状に形成されており、新規な化粧料収容容器を提供するものとして構成されている。
【００２７】
本実施の形態において、引き出し２１は、これらの図に示すように、上側に向かって開放されており、化粧料１０ａが充填された化粧皿１０を載置するための化粧皿の載置部２１ａを有するものとして構成されている。
【００２８】
このように化粧皿の載置部２１ａに上側に向かって開放されたものであることを要求するのは、筒状体２２内から引き出し２１を引き出し２１て引き出し２１の載置部と筒状体２２とを重ならない位置関係に位置させた場合において引き出し２１それ自体が塗布具２３や指の邪魔にならないようにすることにより、使用者が化粧料１０ａを塗布具２３により分け取ったり化粧皿１０を交換したりする動作を確実かつ円滑に行うことが可能な化粧料収容容器とするためである。したがって、このような役割を果たすものであれば、本考案において化粧料１０ａが充填された化粧皿１０を載置するための化粧皿の載置部２１ａの代わりに化粧料を直接充填して載置するための化粧料の載置部その他の化粧料の載置部を用いることが可能である。
【００２９】
そして、引き出し２１は、図１、図２、図４及び図５に示すように、筒状体２２内に筒状体２２の先端開口を通じて内挿されることにより、筒状体２２によって軸線方向に引き出し２１可能及び軸線を中心として回転不能に支持されたものとして構成されている。
【００３０】
本実施の形態においては、引き出し２１の外周部には、図２に示すように、筒状体２２側に向けて開口する複数（例えば３条）の溝部２１ｂが周方向に適宜間隔に及び軸線方向に延びるように形成されている。一方、筒状体２２の内周部には、同図に示すように、引き出し２１の溝部２１ｂ内に向けて突出する複数（例えば３条）の突出部２２ａが筒状体２２の溝部２１ｂに対応する部位に設けられている。そして、引き出し２１は、同図に示すように、その溝部２１ｂが筒状体２２の突出部２２ａに嵌ることによって軸線を中心として回転不能に支持されている。
【００３１】
具体的には、引き出し２１は、図１、図４及び図５に示すように、筒状体２２内の略下半分の空間領域を占める断面形状に形成された下半分断面形状区間５１と、引き出し２１が引き出される側と反対側に位置しており筒状体２２内の略全空間領域を占める断面形状に形成された全断面形状区間５２とを有している。
【００３２】
この下半分断面形状区間５１における上部は、これらの図に示すように、化粧料１０ａが充填された化粧皿１０を載置するための化粧皿の載置部２１ａとされている。このような下半分断面形状区間５１により、載置部上に載置された化粧皿１０及びこれに充填された化粧料１０ａを筒状体２２内に引き出し２１ごと収容することが可能となっている。
【００３３】
ここで、引き出し２１は、図４及び図５に示すように、その全断面形状区間５２における外周部が筒状体２２の内周部によって軸線方向に摺動可能に支持されており、これにより、その軸線が筒状体２２の軸線に沿う方向に拘束されるものとして構成されている。
【００３４】
本実施の形態においては、全断面形状区間５２における外周部には後述する複数の突条が周方向に適宜間隔に及び軸線方向に延びるように形成されている（図２参照）。
【００３５】
そのため、本実施の形態における引き出し２１は、その全断面形状区間５２における外周部に形成された複数の突条が筒状体２２の内周部によって軸線方向に摺動可能に支持されており、これにより、その軸線が筒状体２２の軸線に沿う方向に拘束されるものとして構成されている（同図参照）。
【００３６】
このように、引き出し２１に全断面形状区間５２における複数の突条が筒状体２２の内周部によって軸線方向に摺動可能に支持されることでその軸線が筒状体２２の軸線に沿う方向に拘束されることを要求するのは、引き出し２１の載置部と筒状体２２とを重ならない位置関係に位置させる過程、つまり、筒状体２２内から引き出し２１が引き出される途中において当該引き出し２１が筒状体２２内で不安定に揺動したり当該引き出し２１の奥側の端部が筒状体２２の開口部に引っ掛かったりする等の不都合を生じないようにすることにより、筒状体２２内から引き出し２１を引き出す動作を確実かつ円滑に行うことが可能な化粧料収容容器とするためである。したがって、このような役割を果たすものであれば、本考案において全断面形状区間５２における複数の突条が筒状体２２の内周部によって支持される引き出し２１の代わりに全断面形状区間における外周面が支持される引き出しその他の全断面形状区間における外周部が支持される引き出しを用いても差し支えない。
【００３７】
また、本実施の形態において、引き出し２１は、図１、図４及び図５に示すように、それが引き出される側に係る筒状体２２の端面を覆い、かつ、その外周縁が筒状体２２の外周部よりも外側に延出するように形成された鍔状取っ手２１ｃを有している。
【００３８】
このような引き出し２１により、使用者が引き出し２１をその外周部を掴んで筒状体２２内から引き出す際に手が滑る等の不都合を確実に回避することが可能となっており、その結果、筒状体２２内から引き出し２１を引き出す動作をより確実かつ円滑に行うことが可能となっている。
【００３９】
さらに、本実施の形態においては、全断面形状区間５２における外周部には、筒状体２２の内周部との間に働く摺動抵抗を小さくするための複数の突条が周方向に適宜間隔に及び軸線方向に延びるように形成されている（図２参照）。ここで、複数の突条のうち下半分断面形状区間５１における外周部に係るものは、全断面形状区間５２における外周部から下半分断面形状区間５１における外周部まで連続して軸線方向に延びるように形成されている（同図参照）。
【００４０】
このような複数の突条により、引き出し２１の外周部が筒状体２２の内周部に接する面積を可及的に減少させることが可能となっており、その結果、筒状体２２内から引き出し２１を引き出す動作の確実性及び円滑性を担保することが可能となっている（同図参照）。
【００４１】
なお、本実施の形態においては、全断面形状区間５２における外周部には、図５に示すように、凹部２１ｄと、凹部２１ｄの基端側に隣接して設けられた凸状のストッパー２１ｅとを有しており、この凹部２１ｄが後述する筒状体２２の凸部２２ｂと嵌り合うことにより筒状体２２に対し引き出し２１が軸線方向に位置決めされるとともに凸部２２ｂに対しストッパー２１ｅが歯止めとなり引き出し２１の全部が筒状体２２から引き出されないことが可能となっている。
【００４２】
さらにまた、引き出し２１は、図１、図２、図４及び図５に示すように、化粧皿の載置部２１ａの下層位置にそれが引き出される側に向けて開口するように形成された塗布具収容部２１ｆを有している。
【００４３】
このような塗布具収容部２１ｆにより、筒状体２２が化粧料１０ａを収容し得るのみならず塗布具２３をも収容し得ることが可能となっており、その結果、筒状体２２内の空間領域の有効活用を図ることが可能となっている。
【００４４】
一方、筒状体２２は、図１、図２、図４及び図５に示すように、引き出し２１外に外挿されることにより、引き出し２１を軸線方向に引き出し２１可能及び軸線を中心として回転不能に支持するものとして構成されている。
【００４５】
本実施の形態においては、筒状体２２は、図２に示すように、その突出部２２ａが引き出し２１の溝部２１ｂに嵌ることによって軸線を中心として回転不能に支持されている。
【００４６】
ここで、筒状体２２は、図４及び図５に示すように、その内周部によって引き出し２１の全断面形状区間５２における外周部を軸線方向に摺動可能に支持しており、これにより、その軸線に沿う方向に引き出し２１の軸線を拘束する役割を果している。
【００４７】
なお、本実施の形態においては、筒状体２２における先端に係る内周部には、図４及び図５に示すように、引き出し２１の凹部２１ｄに対向する凸部２２ｂを有しており、この凸部２２ｂが前述した引き出し２１の凹部２１ｄと嵌り合うことにより筒状体２２に対し引き出し２１が軸線方向において位置決めされるとともにストッパー２１ｅが凸部２２ｂを利用することにより引き出し２１の全部が筒状体２２内から引き出されないように機能する。
【００４８】
他方、塗布具２３は、使用者が化粧皿１０内に充填された化粧料１０ａを分け取る役割を果たすものとして構成されている（図３参照）。
本実施の形態における塗布具２３は、図１及び図２に示すように、引き出し２１における化粧皿の載置部２１ａの下層位置に引き出し２１が引き出される側に向けて開口するように形成された塗布具収容部２１ｆ内に収容されている。ここで、塗布具２３は、筒状体２２内の空間領域の有効活用を図るのに相応な大きさ・形状に設定されている。
【００４９】
また、本実施の形態における塗布具２３は、図１〜図３に示すように、先端に係る部分に化粧皿１０内に充填された化粧料１０ａを分け取るための塗布部２３ａを有している。ここで、塗布部２３ａは、化粧皿１０内に充填された化粧料１０ａを分け取るのに支障とならない大きさ・形状に設定されている。
【００５０】
上記したように、本実施の形態における化粧料収容容器にあっては、化粧皿の載置部２１ａ上に載置された化粧料１０ａを筒状体２２内に引き出し２１ごと収容することを可能とする下半分断面形状区間５１、及び、引き出し２１の軸線を筒状体２２の軸線に沿う方向に拘束することを可能とする全断面形状区間５２を有する棒状の引き出し２１を備えたものとして構成されている。
【００５１】
したがって、このような化粧料収容容器によれば、筒状体２２内から引き出し２１を引き出す動作を確実かつ円滑に行うことが可能となっており、その結果、引き出し２１の化粧皿の載置部２１ａと筒状体２２とを重ならない位置関係に位置させる過程における不都合、つまり、筒状体２２内から引き出し２１が引き出される途中において当該引き出し２１が筒状体２２内で不安定に揺動したり当該引き出し２１の奥側の端部が筒状体２２の開口部に引っ掛かったりする等の不都合を生じさせないことが可能となっている。
【００５２】
以上、本考案に係る化粧料収容容器の一実施の形態として本考案に係るプラスチック製容器２が所定の紙製容器１内に収容されたものについて説明したが、本考案はこのような実施の形態に限定されるものではない。例えば紙製容器内に収容されておらず本考案に係るプラスチック製容器単体からなるものに適用してもよいし、本考案に係るプラスチック製容器の複数個を結合してなるものに適用してもよい。また、引き出し内の収容物も塗布具に限定されず、交換用の化粧皿や化粧用の鏡等であってもよい。
【図面の簡単な説明】
【００５３】
【図１】本考案の一実施の形態に係る化粧料収容容器の全体構成を示す縦断面図である。
【図２】同化粧料収容容器の部分構成を示す横断面図である。
【図３】同化粧料収容容器の部分構成を示す側面図である。
【図４】同化粧料収容容器の作用を説明する縦断面図である。
【図５】同化粧料収容容器の作用を説明する縦断面図である。
【符号の説明】
【００５４】
１ 紙製容器
２ プラスチック製容器
１０ 化粧皿
１０ａ 化粧料
１１ 紙管本体
１２ 紙管キャップ
２１ 引き出し
２１ａ 化粧皿の載置部
２１ｂ 溝部
２１ｃ 鍔状取っ手
２１ｄ 凹部
２１ｅ ストッパー
２１ｆ 塗布具収容部
２２ 筒状体
２２ａ 突出部
２２ｂ 凸部
２３ 塗布具
２３ａ 塗布部
５１ 下半分断面形状区間
５２ 全断面形状区間
【図１】
0003123384.tif 000003
【図２】
0003123384.tif 000004
【図３】
0003123384.tif 000005
【図４】
0003123384.tif 000006
【図５】
0003123384.tif 000007